【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
複数のソフト時分割多重化（ＴＤＭ）割当てフィールドを備える信号を送ることと、ここにおいて、各ソフトＴＤＭ割当てフィールドが、
ノードがそれらの優先度レベルに従って特定のタイムスロット中に通信することを許可する接続情報を搬送する、ここにおいて、前記接続情報は、少なくとも、どのノードがノードのグループに割り当てられるかを識別する情報を含む局グループフィールド、およびグループフィールドごとの拡張分散チャネルアクセス（ＥＤＣＡ）パラメータのセットを備える、
ように構成され、
前記接続情報は、少なくとも１つのタイムスロット中に通信するノードの第２のグループの第２の優先度レベルとは異なる第１の優先度レベルにおいて前記少なくとも１つのタイムスロット中に通信するためにノードの第１のグループに搬送される、
前記第１の優先度レベルにおいて前記少なくとも１つのタイムスロット中にノードの前記第１のグループからの少なくとも１つのノードと通信することとを備える、ワイヤレス通信のための方法。
【請求項２】
拡張分散チャネルアクセスパラメータの前記セットが、ノードの各グループのための最小競合ウィンドウサイズと、最大競合ウィンドウサイズと、アービトレーションフレーム間スペース数と、送信機会とのうちの１つまたは複数を備える、請求項１に記載の方法。
【請求項３】
前記接続情報がさらに、前記少なくとも１つのタイムスロットのための開始時間フィールドおよび持続時間フィールド、または前記少なくとも１つのタイムスロットのための開始時間フィールドおよび終了時間フィールドを備える、請求項１に記載の方法。
【請求項４】
ノードの各グループ中の少なくとも１つのノードが、前記少なくとも１つのタイムスロットの境界において実施されるバックオフ動作に関連するバックオフタイマーを備える、請求項１に記載の方法。
【請求項５】
前記信号が、
前記ソフトＴＤＭ割当てフィールドのうちの前記少なくとも１つ中の前記接続情報に少なくとも部分的に基づいて前記バックオフタイマーを更新することと、
少なくとも前記少なくとも１つのタイムスロットの初めにおいて前記バックオフタイマーをリセットすることとを行うようにノードの各グループ中の前記少なくとも１つのノードに指示する少なくとも１つのバックオフ動作ルールを備える、請求項４に記載の方法。
【請求項６】
通信する少なくとも１つのノードは、前記少なくとも１つのノードがその間に通信しているタイムスロットの境界において実施されるバックオフ動作に関連する複数のバックオフタイマーを備え、各バックオフタイマーが、反復スケジュール中の特定のタイムスロットに関連する、請求項１に記載の方法。
【請求項７】
前記信号は、
前記少なくとも１つのノードがその間に通信している前記反復スケジュール中の各タイムスロットの終わりにおいて前記関連するバックオフタイマーを休止することと、
前記少なくとも１つのノードがその間に通信している前記反復スケジュール中の次のその後に生じるタイムスロットの初めにおいて前記関連するバックオフタイマーを再開することとを行うように前記少なくとも１つのノードに指示する少なくとも１つのバックオフ動作ルールを備える、請求項６に記載の方法。
【請求項８】
通信する少なくとも１つのノードは、前記少なくとも１つのノードがその間に通信している１次タイムスロットの境界において実施されるバックオフ動作に関連する１次バックオフタイマーと、前記少なくとも１つのノードがその間に通信している２次タイムスロットの境界において実施されるバックオフ動作に関連する２次バックオフタイマーとを備える、請求項１に記載の方法。
【請求項９】
前記信号は、
前記少なくとも１つのノードがその間に通信している１次タイムスロットの終わりにおいて前記１次バックオフタイマーを休止することと、
前記少なくとも１つのノードがその間に通信している次のその後に生じる１次タイムスロットの初めにおいて前記１次バックオフタイマーを再開することとを行うようにノードの各グループ中の前記少なくとも１つのノードに指示する少なくとも１つのバックオフ動作ルールを備える、請求項８に記載の方法。
【請求項１０】
前記信号は、
前記少なくとも１つのノードがその間に通信している各反復２次タイムスロットの初めにおいて前記２次バックオフタイマーをリセットするようにノードの各グループ中の前記少なくとも１つのノードに指示する少なくとも１つのバックオフ動作ルールを備える、請求項８に記載の方法。
【請求項１１】
複数のソフト時分割多重化（ＴＤＭ）割当てフィールドを備える信号を送るように構成されたソフトＴＤＭ割当て構成要素を備え、ここにおいて、各ソフトＴＤＭ割当てフィールドが、
ノードがそれらの優先度レベルに従って特定のタイムスロット中に通信することを許可する接続情報を搬送する、ここにおいて、前記接続情報は、少なくとも、どのノードがグループに割り当てられるかを識別する情報を含む局グループフィールド、およびグループフィールドごとの拡張分散チャネルアクセス（ＥＤＣＡ）パラメータのセットを備える、
ように構成され、
前記接続情報は、少なくとも１つのタイムスロット中に通信するノードの第２のグループの第２の優先度レベルとは異なる第１の優先度レベルにおいて前記少なくとも１つのタイムスロット中に通信するためにノードの第１のグループに搬送され、
前記ソフトＴＤＭ割当て構成要素が、前記第１の優先度レベルにおいて前記少なくとも１つのタイムスロット中にノードの前記第１のグループからの少なくとも１つのノードと通信するようにさらに構成される、ワイヤレス通信のための装置。
【請求項１２】
コンピュータ記憶媒体を含むコンピュータ可読媒体であって、前記コンピュータ記憶媒体は、実行されたとき、請求項１〜１０のうちのいずれか一項に従った方法をコンピュータに実施させる命令を備える、コンピュータ可読媒体。
【手続補正２】
【補正対象書類名】明細書
【補正対象項目名】０１４８
【補正方法】変更
【補正の内容】
【０１４８】
[0161]本開示についての以上の説明は、当業者が本開示を作成または使用することができるように提供されたものである。本開示への様々な修正は当業者には容易に明らかとなり、本明細書で定義される一般原理は、本開示の範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書に記載された例および設計に限定されるべきでなく、本明細書で開示された原理および新規の特徴に合致する最も広い範囲を与えられるべきである。
以下に本願の出願当初の特許請求の範囲に記載された発明を付記する。
［Ｃ１］
１つまたは複数のソフト時分割多重化（ＴＤＭ）割当てフィールドを備える信号を送ることと、ここにおいて、前記ソフトＴＤＭ割当てフィールドのうちの少なくとも１つが、少なくとも１つのタイムスロット中に通信するノードの第２のグループの第２の優先度レベルとは異なる第１の優先度レベルにおいて前記少なくとも１つのタイムスロット中に通信するためにノードの第１のグループに接続情報を搬送するように構成される、
前記第１の優先度レベルにおいて前記少なくとも１つのタイムスロット中にノードの前記第１のグループからの少なくとも１つのノードと通信することとを備える、ワイヤレス通信のための方法。
［Ｃ２］
前記接続情報が、前記少なくとも１つのタイムスロット中に通信するノードの各グループのための識別データと、前記少なくとも１つのタイムスロット中に通信するノードの前記第１のグループおよびノードの前記第２のグループのうちの少なくとも１つのための拡張分散チャネルアクセスパラメータのセットと、前記少なくとも１つのタイムスロットを識別するタイムスロットパラメータとのうちの１つまたは複数を備える、Ｃ１に記載の方法。
［Ｃ３］
前記識別データが、ノードの１つまたは複数のグループ中の１つまたは複数のノードに関連する識別コードと、ノードの１つまたは複数のグループ中の１つまたは複数のノードに関連する識別コードの範囲と、ノードの１つまたは複数のグループのためのあらかじめ定義された識別コードのインデックスとのうちの少なくとも１つを備える、Ｃ２に記載の方法。
［Ｃ４］
拡張分散チャネルアクセスパラメータの前記セットが、ノードの各グループのための最小競合ウィンドウサイズと、最大競合ウィンドウサイズと、アービトレーションフレーム間スペース数と、送信機会とのうちの１つまたは複数を備える、Ｃ２に記載の方法。
［Ｃ５］
前記タイムスロットパラメータが、前記少なくとも１つのタイムスロットのための開始時間および持続時間フィールド、または前記少なくとも１つのタイムスロットのための開始時間および終了時間を備える、Ｃ２に記載の方法。
［Ｃ６］
前記ソフトＴＤＭ割当てフィールドのうちの前記少なくとも１つが、拡張分散チャネルアクセスの動作チャネルを識別する情報と、前記少なくとも１つのタイムスロット中に指定されていないノードによって使用されるべきデフォルト拡張分散チャネルアクセスパラメータと、前記少なくとも１つのタイムスロットとは異なる第２のタイムスロット中にノードのグループごとに使用されるべき拡張分散チャネルアクセスパラメータと、いずれかの指定されたタイムスロットの外部でノードによって使用されるべきデフォルト拡張分散チャネルアクセスパラメータとのうちの１つまたは複数を備える、Ｃ２に記載の方法。
［Ｃ７］
前記ソフトＴＤＭ割当てフィールドのうちの前記少なくとも１つが、ビーコン、プローブ要求メッセージ、プローブ応答メッセージ、関連付け要求メッセージ、または関連付け応答メッセージのうちの少なくとも１つにおいて送られる、Ｃ１に記載の方法。
［Ｃ８］
前記少なくとも１つのタイムスロットが、反復スケジュール上でそれぞれ繰り返す複数のタイムスロットを備え、前記ソフトＴＤＭ割当てフィールドのうちの前記少なくとも１つが周期性情報を備える、Ｃ１に記載の方法。
［Ｃ９］
前記ソフトＴＤＭ割当てフィールドのうちの前記少なくとも１つが、あらゆる周期中の各タイムスロット中に通信するようにスケジュールされたノードの複数のグループのうちの少なくとも１つに、あらゆる周期中のそのタイムスロットに関連する前記接続情報を搬送する、Ｃ８に記載の方法。
［Ｃ１０］
前記信号が、あらゆる周期中の各タイムスロット中に使用すべきノードの１次グループとノードの２次グループとのための共通拡張分散チャネルアクセスパラメータを備える、Ｃ８に記載の方法。
［Ｃ１１］
各ソフトＴＤＭ割当てフィールドが、ノードの前記１次グループとして前記共通拡張分散チャネルアクセスパラメータを使用すべきノードと、ノードの前記２次グループとして前記共通拡張分散チャネルアクセスパラメータを使用すべきノードとを識別する、Ｃ１０に記載の方法。
［Ｃ１２］
ノードの各グループ中の少なくとも１つのノードが、前記少なくとも１つのタイムスロットの境界において実施されるバックオフ動作に関連するバックオフタイマーを備える、Ｃ１に記載の方法。
［Ｃ１３］
前記信号が、
前記ソフトＴＤＭ割当てフィールドのうちの前記少なくとも１つ中の前記接続情報に少なくとも部分的に基づいて前記バックオフタイマーを更新することと、
少なくとも前記少なくとも１つのタイムスロットの初めにおいて前記バックオフタイマーをリセットすることとを行うようにノードの各グループ中の前記少なくとも１つのノードに指示する少なくとも１つのバックオフ動作ルールを備える、Ｃ１２に記載の方法。
［Ｃ１４］
通信する少なくとも１つのノードは、前記少なくとも１つのノードがその間に通信しているタイムスロットの境界において実施されるバックオフ動作に関連する複数のバックオフタイマーを備え、各バックオフタイマーが、反復スケジュール中の特定のタイムスロットに関連する、Ｃ１に記載の方法。
［Ｃ１５］
前記信号は、
前記少なくとも１つのノードがその間に通信している前記反復スケジュール中の各タイムスロットの終わりにおいて前記関連するバックオフタイマーを休止することと、
前記少なくとも１つのノードがその間に通信している前記反復スケジュール中の次のその後に生じるタイムスロットの初めにおいて前記関連するバックオフタイマーを再開することとを行うように前記少なくとも１つのノードに指示する少なくとも１つのバックオフ動作ルールを備える、Ｃ１４に記載の方法。
［Ｃ１６］
通信する少なくとも１つのノードは、前記少なくとも１つのノードがその間に通信している１次タイムスロットの境界において実施されるバックオフ動作に関連する１次バックオフタイマーと、前記少なくとも１つのノードがその間に通信している２次タイムスロットの境界において実施されるバックオフ動作に関連する２次バックオフタイマーとを備える、Ｃ１に記載の方法。
［Ｃ１７］
前記信号は、
前記少なくとも１つのノードがその間に通信している１次タイムスロットの終わりにおいて前記１次バックオフタイマーを休止することと、
前記少なくとも１つのノードがその間に通信している次のその後に生じる１次タイムスロットの初めにおいて前記１次バックオフタイマーを再開することとを行うようにノードの各グループ中の前記少なくとも１つのノードに指示する少なくとも１つのバックオフ動作ルールを備える、Ｃ１６に記載の方法。
［Ｃ１８］
前記信号は、
前記少なくとも１つのノードがその間に通信している各反復２次タイムスロットの初めにおいて前記２次バックオフタイマーをリセットするようにノードの各グループ中の前記少なくとも１つのノードに指示する少なくとも１つのバックオフ動作ルールを備える、Ｃ１６に記載の方法。
［Ｃ１９］
１つまたは複数のソフト時分割多重化（ＴＤＭ）割当てフィールドを備える信号を送るように構成されたソフトＴＤＭ割当て構成要素を備え、ここにおいて、前記ソフトＴＤＭ割当てフィールドのうちの少なくとも１つが、少なくとも１つのタイムスロット中に通信するノードの第２のグループの第２の優先度レベルとは異なる第１の優先度レベルにおいて前記少なくとも１つのタイムスロット中に通信するためにノードの第１のグループに接続情報を搬送するように構成され、
前記ソフトＴＤＭ割当て構成要素が、前記第１の優先度レベルにおいて前記少なくとも１つのタイムスロット中にノードの前記第１のグループからの少なくとも１つのノードと通信するようにさらに構成される、ワイヤレス通信のための装置。
［Ｃ２０］
前記接続情報が、前記少なくとも１つのタイムスロット中に通信するノードの各グループのための識別データと、前記少なくとも１つのタイムスロット中に通信するノードの前記第１のグループおよびノードの前記第２のグループのうちの少なくとも１つのための拡張分散チャネルアクセスパラメータのセットと、前記少なくとも１つのタイムスロットを識別するタイムスロットパラメータとのうちの１つまたは複数を備える、Ｃ１９に記載の装置。
［Ｃ２１］
前記識別データが、ノードの１つまたは複数のグループ中の１つまたは複数のノードに関連する識別コードと、ノードの１つまたは複数のグループ中の１つまたは複数のノードに関連する識別コードの範囲と、ノードの１つまたは複数のグループのためのあらかじめ定義された識別コードのインデックスとのうちの少なくとも１つを備える、Ｃ２０に記載の装置。
［Ｃ２２］
拡張分散チャネルアクセスパラメータの前記セットが、ノードの各グループのための最小競合ウィンドウサイズと、最大競合ウィンドウサイズと、アービトレーションフレーム間スペース数と、送信機会とのうちの１つまたは複数を備える、Ｃ２０に記載の装置。
［Ｃ２３］
前記タイムスロットパラメータが、前記少なくとも１つのタイムスロットのための開始時間および持続時間フィールド、または前記少なくとも１つのタイムスロットのための開始時間および終了時間を備える、Ｃ２０に記載の装置。
［Ｃ２４］
前記ソフトＴＤＭ割当てフィールドのうちの前記少なくとも１つが、拡張分散チャネルアクセスの動作チャネルを識別する情報と、前記少なくとも１つのタイムスロット中に指定されていないノードによって使用されるべきデフォルト拡張分散チャネルアクセスパラメータと、前記少なくとも１つのタイムスロットとは異なる第２のタイムスロット中にノードのグループごとに使用されるべき拡張分散チャネルアクセスパラメータと、いずれかの指定されたタイムスロットの外部でノードによって使用されるべきデフォルト拡張分散チャネルアクセスパラメータとのうちの１つまたは複数を備える、Ｃ２０に記載の装置。
［Ｃ２５］
前記ソフトＴＤＭ割当てフィールドのうちの前記少なくとも１つが、ビーコン、プローブ要求メッセージ、プローブ応答メッセージ、関連付け要求メッセージ、または関連付け応答メッセージのうちの少なくとも１つにおいて送られる、Ｃ１９に記載の装置。
［Ｃ２６］
前記少なくとも１つのタイムスロットが、反復スケジュール上でそれぞれ繰り返す複数のタイムスロットを備え、前記ソフトＴＤＭ割当てフィールドのうちの前記少なくとも１つが周期性情報を備える、Ｃ１９に記載の装置。
［Ｃ２７］
前記ソフトＴＤＭ割当てフィールドのうちの前記少なくとも１つが、あらゆる周期中の各タイムスロット中に通信するようにスケジュールされたノードの複数のグループのうちの少なくとも１つに、あらゆる周期中のそのタイムスロットに関連する前記接続情報を搬送する、Ｃ２６に記載の装置。
［Ｃ２８］
前記信号が、あらゆる周期中の各タイムスロット中に使用すべきノードの１次グループとノードの２次グループとのための共通拡張分散チャネルアクセスパラメータを備える、Ｃ２６に記載の装置。
［Ｃ２９］
各ソフトＴＤＭ割当てフィールドが、ノードの前記１次グループとして前記共通拡張分散チャネルアクセスパラメータを使用すべきノードと、ノードの前記２次グループとして前記共通拡張分散チャネルアクセスパラメータを使用すべきノードとを識別する、Ｃ２８に記載の装置。
［Ｃ３０］
少なくとも１つのプロセッサと、
前記少なくとも１つのプロセッサと電子通信しているメモリと、
前記メモリに記憶された命令とを備え、前記命令は、
１つまたは複数のソフトＴＤＭ割当てフィールドを備える信号を送ることと、ここにおいて、前記ソフトＴＤＭ割当てフィールドのうちの少なくとも１つが、少なくとも１つのタイムスロット中に通信するノードの第２のグループの第２の優先度レベルとは異なる第１の優先度レベルにおいて前記少なくとも１つのタイムスロット中に通信するためにノードの第１のグループに接続情報を搬送するように構成される、
前記第１の優先度レベルにおいて前記少なくとも１つのタイムスロット中にノードの前記第１のグループからの少なくとも１つのノードと通信することとを行うように前記少なくとも１つのプロセッサによって実行可能である、ワイヤレス通信のための装置。
［Ｃ３１］
拡張分散チャネルアクセスの少なくとも１つの非同時タイムスロット中に通信すべき少なくとも１つの１次ノードを識別することと、
前記少なくとも１つの非同時タイムスロット中に通信すべき少なくとも１つの２次ノードを識別することと、
接続情報を搬送するために前記少なくとも１つの２次ノードに信号を送ることと、前記接続情報が、前記少なくとも１つの非同時タイムスロット中に通信すべき前記少なくとも１つの２次ノードのためのものであり、前記少なくとも１つの２次ノードが、前記少なくとも１つの１次ノードの第２の優先度レベルとは異なる第１の優先度レベルにおいて前記少なくとも１つの非同時タイムスロット中に通信する、を備える、ワイヤレス通信のための方法。
［Ｃ３２］
前記接続情報が、アクセスポイントから送られるビーコン中で搬送され、
前記少なくとも１つの２次ノードが前記アクセスポイントから前記ビーコンを受信することに基づいて前記少なくとも１つの２次ノードと通信することをさらに備える、Ｃ３１に記載の方法。
［Ｃ３３］
前記拡張分散チャネルアクセス上で動作している少なくとも１つのアクセスポイントによって、非同時タイムスロットスケジュールと、拡張分散チャネルアクセス構成情報と、２次ノードが前記第１の優先度レベルにおいて前記少なくとも１つの非同時タイムスロット中に通信することを前記少なくとも１つのアクセスポイントが許可するかどうかを識別するインジケータフィールドとを備える接続情報をブロードキャストすることをさらに備える、Ｃ３１に記載の方法。
［Ｃ３４］
前記拡張分散チャネルアクセス上で動作している少なくとも１つのアクセスポイントによって、前記少なくとも１つのアクセスポイントに関連する接続情報と、少なくとも１つのネイバーアクセスポイントに関連する接続情報とをブロードキャストすることをさらに備える、Ｃ３１に記載の方法。
［Ｃ３５］
前記少なくとも１つのアクセスポイントと前記少なくとも１つのネイバーアクセスポイントとのための前記接続情報は、各アクセスポイントのための非同時タイムスロットスケジュールと、各アクセスポイントのための拡張分散チャネルアクセス構成情報と、２次ノードが前記第１の優先度レベルにおいて前記少なくとも１つの非同時タイムスロット中に通信することを各アクセスポイントが許可するかどうかを識別するインジケータフィールドとを備える、Ｃ３４に記載の方法。
［Ｃ３６］
前記接続情報が、前記少なくとも１つの非同時タイムスロットのためのソフト時分割多重化（ＴＤＭ）割当てフィールドを備える、Ｃ３１に記載の方法。
［Ｃ３７］
前記ソフトＴＤＭ割当てフィールドは、２次ノードが前記第１の優先度レベルにおいて前記少なくとも１つの非同時タイムスロット中に通信することをアクセスポイントが許可するかどうかを識別するインジケータフィールドと、前記少なくとも１つの１次ノードのための拡張分散チャネルアクセス構成情報と、前記少なくとも１つの２次ノードのための拡張分散チャネルアクセス構成情報とのうちの１つまたは複数をさらに備える、Ｃ３６に記載の方法。
［Ｃ３８］
前記ソフトＴＤＭ割当てフィールドが、前記少なくとも１つの１次ノードと前記少なくとも１つの２次ノードとを識別する識別データのうちの１つまたは複数をさらに備える、Ｃ３７に記載の方法。
［Ｃ３９］
前記識別データが、ノードの１つまたは複数のグループ中の１つまたは複数のノードに関連する識別コードと、ノードの１つまたは複数のグループ中の１つまたは複数のノードに関連する識別コードの範囲と、ノードの１つまたは複数のグループのためのあらかじめ定義された識別コードのインデックスとのうちの少なくとも１つを備える、Ｃ３８に記載の方法。
［Ｃ４０］
前記少なくとも１つの非同時タイムスロットが反復スケジュール上で繰り返され、前記ソフトＴＤＭ割当てフィールドが周期性情報を備える、Ｃ３６に記載の方法。
［Ｃ４１］
前記ソフトＴＤＭ割当てフィールドが、第１の非同時タイムスロットに関連する前記接続情報を使用している間に通信するために前記第１の非同時タイムスロットと１つまたは複数の後続の非同時タイムスロットとを少なくとも１つのノードに搬送する、Ｃ４０に記載の方法。
［Ｃ４２］
前記少なくとも１つの１次ノードの前記第２の優先度レベルとは異なる前記第１の優先度レベルにおいて前記少なくとも１つの非同時タイムスロット中に通信する前記少なくとも１つの２次ノードは、前記少なくとも１つの１次ノードによって使用される拡張分散チャネルアクセスパラメータに対して前記少なくとも１つの２次ノードによって低減された拡張分散チャネルアクセスパラメータを使用する、Ｃ３１に記載の方法。
［Ｃ４３］
前記少なくとも１つの２次ノードによって使用される前記低減された拡張分散チャネルアクセスパラメータが、前記少なくとも１つの１次ノードによって使用される前記拡張分散チャネルアクセスパラメータに対して、より大きい最小競合ウィンドウサイズと、より大きい最大競合ウィンドウサイズと、より大きいアービトレーションフレーム間スペース数と、より短い送信機会とのうちの１つまたは複数を備える、Ｃ４２に記載の方法。
［Ｃ４４］
前記少なくとも１つの１次ノードの前記第２の優先度レベルとは異なる前記第１の優先度レベルにおいて前記少なくとも１つの非同時タイムスロット中に通信する前記少なくとも１つの２次ノードは、前記少なくとも１つの１次ノードのためのキャリア・クリアランス・アセスメント・エネルギー検出しきい値に関して、前記少なくとも１つの２次ノードのためのキャリア・クリアランス・アセスメント・エネルギー検出しきい値を低減する、Ｃ３１に記載の方法。
［Ｃ４５］
前記少なくとも１つの２次ノードは、前記拡張分散チャネルアクセス上で動作しているアクセスポイントから、前記アクセスポイントが前記少なくとも１つの非同時タイムスロット中に通信すべき情報を有しないことを示す信号を受信し、前記信号を受信したことに基づいて前記少なくとも１つの非同時タイムスロット中に通信する、Ｃ３１に記載の方法。
［Ｃ４６］
前記少なくとも１つの２次ノードは、前記拡張分散チャネルアクセス上で動作しているアクセスポイントが、前記少なくとも１つの非同時タイムスロット中に所定の時間しきい値の間、１次ノードのいずれとも通信していないと決定し、前記決定に基づいて前記少なくとも１つの非同時タイムスロット中に通信する、Ｃ３１に記載の方法。
［Ｃ４７］
拡張分散チャネルアクセスの少なくとも１つの非同時タイムスロット中に通信すべき少なくとも１つの１次ノードを識別することと、
前記少なくとも１つの非同時タイムスロット中に通信すべき少なくとも１つの２次ノードを識別することと
を行うように構成された非同時タイムスロットアクセス構成要素と、
接続情報を搬送するために前記少なくとも１つの２次ノードに信号を送るように構成された送信機と、前記接続情報が、前記少なくとも１つの非同時タイムスロット中に通信すべき前記少なくとも１つの２次ノードのためのものであり、前記少なくとも１つの２次ノードが、前記少なくとも１つの１次ノードの第２の優先度レベルとは異なる第１の優先度レベルにおいて前記少なくとも１つの非同時タイムスロット中に通信する、を備える、ワイヤレス通信のための装置。
［Ｃ４８］
前記接続情報が、アクセスポイントから送られるビーコン中で搬送され、前記非同時タイムスロットアクセス構成要素が、
前記少なくとも１つの２次ノードが前記アクセスポイントから前記ビーコンを受信することに基づいて前記少なくとも１つの２次ノードと通信するようにさらに構成される、Ｃ４７に記載の装置。
［Ｃ４９］
前記非同時タイムスロットアクセス構成要素は、
前記拡張分散チャネルアクセス上で動作している少なくとも１つのアクセスポイントによって、非同時タイムスロットスケジュールと、拡張分散チャネルアクセス構成情報と、２次ノードが前記第１の優先度レベルにおいて前記少なくとも１つの非同時タイムスロット中に通信することを前記少なくとも１つのアクセスポイントが許可するかどうかを識別するインジケータフィールドとを備える接続情報をブロードキャストするようにさらに構成される、Ｃ４７に記載の装置。
［Ｃ５０］
少なくとも１つのプロセッサと、
前記少なくとも１つのプロセッサと電子通信しているメモリと、
前記メモリに記憶された命令とを備え、前記命令は、
拡張分散チャネルアクセスの少なくとも１つの非同時タイムスロット中に通信すべき少なくとも１つの１次ノードを識別することと、
前記少なくとも１つの非同時タイムスロット中に通信すべき少なくとも１つの２次ノードを識別することと、
接続情報を搬送するために前記少なくとも１つの２次ノードに信号を送ることと、前記接続情報が、前記少なくとも１つの非同時タイムスロット中に通信すべき前記少なくとも１つの２次ノードのためのものであり、前記少なくとも１つの２次ノードが、前記少なくとも１つの１次ノードの第２の優先度レベルとは異なる第１の優先度レベルにおいて前記少なくとも１つの非同時タイムスロット中に通信する、
を行うように前記少なくとも１つのプロセッサによって実行可能である、ワイヤレス通信のための装置。